(57)【要約】【課題】容易に引き裂くことができ、かつ、カートンの強度を低下させることが少なく、残された引き裂き部分が奇麗な状態で引き裂くことができる形状のカートン用切れ目線を提供することにある。【解決手段】本発明は、開封方向に沿って不連続に配列した主切れ目線と補助切れ目線とからなり、主切れ目線がそれぞれの間を間隙部として切れ目ライン上に不連続に配列され、主切れ目線の長さが、間隔部の長さより長い形状であり、補助切れ目線が切れ目ラインに平行な線上に不連続に配列され、間隙部を平行に移動し、その両端を延長した形状であることを特徴とするカートン用切れ目線である。【選択図】図１
2004168378.tif 000002
【特許請求の範囲】
【請求項１】
開封方向に沿って不連続に配列した主切れ目線と補助切れ目線とからなり、主切れ目線がそれぞれの間を間隙部として切れ目ライン上に不連続に配列され、前記主切れ目線の長さが、前記間隔部の長さより長い形状であり、補助切れ目線が前記切れ目ラインに平行な線上に不連続に配列され、前記間隙部を平行に移動し、その両端を延長した形状であることを特徴とするカートン用切れ目線。
【請求項２】
前記主切れ目線にツナギを設けたことを形状の特徴とする請求項１に記載のカートン用切れ目線。
【発明の詳細な説明】
【０００１】
【発明の属する技術分野】
本発明は、カートンの開封に使用する切れ目線に関するものである。
【０００２】
【従来の技術】
従来から各種のカートンの開封にあたり、カートンの必要な部分を引き裂くために、図７に示すように、単にミシン目状に不連続な切れ目線を入れる形状、直線の先端を曲げたＬ字形状の切れ目線を不連続に設けた形状、波形状の切れ目線をオーバーラップするように不連続に設けた形状、二重ミシン目でミシン目（切れ目線）とその間隔部との長さが同等である形状（例えば、特許文献１参照。）等がある。
【０００３】
【特許文献１】
特開平８−１０４３７８号公報
【０００４】
【発明が解決しようとする課題】
しかしながら、従来のこれらのカートン用切れ目線は、引き裂きやすいように、切れ目線の部分を長くし、隣接する切れ目線と切れ目線との間隙部の長さを小さくすると、引き裂きやすくなる反面、カートンの強度が弱くなり、開封の段階で、カートンが破壊されてしまう危険性があり、逆に、間隙部を大きくすると、引き裂きにくくなるという、両機能のバランスがとれた形状とすることが難しいという問題がある。また、切れ目線をカートンから引き裂いた後、ギザギザ状態となり、外観上、奇麗なものではなく、指等を傷つけたり、内容物を取り出す時に傷つけたりするという危険性があるという問題がある。
【０００５】
上記の問題を解決するための本発明は、両端のいずれの方向から開始しても容易に引き裂くことができ、かつ、カートンの強度を低下させることが少なく、残された引き裂き部分が奇麗な状態で引き裂くことができる形状のカートン用切れ目線を提供することを目的とするものである。
【０００６】
【課題を解決するための手段】
上記の課題を解決するために、本発明は、開封方向に沿って不連続に配列した主切れ目線と補助切れ目線とからなり、主切れ目線がそれぞれの間を間隙部として切れ目ライン上に不連続に配列され、前記主切れ目線の長さが、前記間隔部の長さより長い形状であり、補助切れ目線が前記切れ目ラインに平行な線上に不連続に配列され、前記間隙部を平行に移動し、その両端を延長した形状であることを特徴とするカートン用切れ目線である。また、前記主切れ目線にツナギを設けたことを形状の特徴とするものである。
【０００７】
本発明によれば、両端のいずれの方向から開始しても容易に引き裂くことができ、かつ、カートンの強度を低下させることが少なく、残された引き裂き部分が奇麗な状態で引き裂くことができる形状のカートン用切れ目線を得ることができる。
【０００８】
【発明の実施の形態】
本発明のカートン用切れ目線の実施の形態について以下に、図面を用いて詳細に説明する。図１は本発明のカートン用切れ目線を示す平面図であり、図２は本発明のカートン用切れ目線を示す部分拡大平面図であり、図３は本発明のカートン用切れ目線の変形例を示す部分拡大平面図であり、図４は本発明のカートン用切れ目線の効果を説明する図であり、図５は本発明のカートン用切れ目線を使用したカートンの一実施例を示す斜視図であり、図６は本発明のカートン用切れ目線を使用したカートンの別の実施例を示す斜視図であり、図７は従来のカートン用切れ目線の例を示す平面図である。
【０００９】
図１は、本発明によるカートン用切れ目線を示す平面図であり、図２は、そのカートン用切れ目線の部分拡大図である。
【００１０】
図１に示すように、本発明のカートン用切れ目線Ｐは、両方向からから引き裂くことを開始することができる形状である。また、端から引き裂きやすいように、切れ目線Ｐの端にＶ字形状などの切り欠けＶを設けることもできる。
【００１１】
切れ目線Ｐは、図２に示すように、主切れ目線Ｑと補助切れ目線Ｒからなっている。主切れ目線Ｑは、引き裂かれる線である切れ目ラインＸ上に不連続に設けられ、隣接する主切れ目線Ｑと主切れ目線Ｑとの間を間隙部Ｓとすると、主切れ目線Ｑの長さａと間隙部Ｓの長さｂの関係を、ａ＞２ｂ〜３ｂとすることが好ましい。
【００１２】
一方、補助切れ目線Ｒは、切れ目ラインＸに所定の距離ｄで平行に不連続に設けられ、その位置および形状は、隣接する主切れ目線Ｑの間隙部Ｓの位置を外方向に平行に移動した位置で、その両端を延長した形状としている。従って、補助切れ目線Ｒの長さｃは、隣接する主切れ目線Ｑの間隙部Ｓの長さｂより長く、すなわち、ｃ＞ｂの関係としている。
【００１３】
また、主切れ目線Ｑの形状は直線形状が基本形であるが、図３−ａに示すように、両端を補助切れ目線Ｒ側に折り曲げた形状とすることもできる。
【００１４】
また、補助切れ目線Ｒの形状は直線形状が基本形であるが、図３−ｂに示すように、両端を主切れ目線Ｑ側に折り曲げた形状、あるいは、図３−ｃに示すよう、主切れ目線Ｑ側に凹んだ円弧形状とすることもできる。
【００１５】
さらに、主切れ目線Ｑには、図３−ｄに示すように、ツナギＷを設けることが好ましい。このツナギＷは、主切れ目線Ｐのほぼ中央部に設け、その幅は、０．１〜１．０ｍｍの範囲で適宜設定することができる。このツナギＷを設けることによって、カートン用切れ目線Ｐの引き裂きやすさを損なうことなく、カートンの強度が低下することを防ぐことができる。
【００１６】
つぎに、本発明のカートン用切れ目線Ｐの特徴を説明する。
【００１７】
本発明によるカートン用切れ目線Ｐの場合は、図４に示すように、主切れ目線Ｑと補助切れ目線Ｒを設けることによって、いずれの側からカートン用切れ目線Ｐを引き裂いても、受け止める補助切れ目線Ｒが待ち構えているので、引き裂きは次の主切れ目線Ｑに確実に伝播し、最後の主切れ目線Ｑまで切れ目ラインＸに沿った開封が可能となる。また、カートン用切れ目線Ｐを開封した後、残された引き裂き部分（下部分）が、奇麗な状態である。
【００１８】
さらに、主切れ目線Ｑのほぼ中央にツナギＷを設けることによって、サック貼り工程で、カートン用切れ目線Ｐがささくれ立つことを防ぐことができ、また、カートン用切れ目線Ｐを設けたことによるカートン強度の低下を防ぐことができ、かつ、カートン用切れ目線Ｐを引き裂く時に、段階的に力が加わり、全体として、カートン用切れ目線Ｐの引き裂きをスムースに行うことができる。
【００１９】
本発明のカートン用切れ目線Ｐは、カートンを構成する構造体の各構成部、例えば、天部、側部、あるいは底部などのいずれの部位にも形成することができる。また、側部においては、その一部の側パネル（前パネル）若しくは全部の側パネルに渡って連続して設けることができる。
【００２０】
【実施例】
つぎに、本発明のカートン用ジッパーについて、さらに、実施例をあげて詳しく説明する。
【００２１】
＜実施例１＞
図５は、本発明のカートン用切れ目線Ｐの実施例を示す斜視図であり、このカートン用切れ目線Ｐ１は、カートンＣ１の前パネル１２と側パネル１１、１３に渡って形成された例である。図５に示すように、カートンＣ１は、天パネル１５、側パネル１１、前パネル１２、側パネル１３、後パネル１４、底パネル１６により構成され、カートン用切れ目線Ｐ１を、カートンＣ１の前パネル１２を横断して設け、さらに、両側パネル１１、１３に斜め方向にカートン用切れ目線Ｐ２をそれぞれ設けた。このカートンＣ１を開封するには、まず、前パネル１２のカートン用切れ目線Ｐ１の一部を押して引き裂き、その部分をとっかかりとして全体を引き裂いて開封し、そして、側パネル１１、１３のカートン用切れ目線Ｐ２、Ｐ２を引き裂くことにより、カートンＣ１の上部が分断されて蓋部となり開口することができた。開口後のカートン１の下部は引き裂き部分が奇麗な状態であった。
【００２２】
＜実施例２＞
図６は、本発明のカートン用切れ目線Ｐの別の実施例を示す斜視図であり、このカートン用切れ目線Ｐ３は、カートンＣ２の天パネル１５に形成された例である。図６に示すように、カートンＣ２は、天パネル１５、四つの側パネル１１、１２、１３、１４、底パネル１６により構成され、カートン用切れ目線Ｐ３を、二列に配列して帯状にして、カートンＣ２の天パネル１５を横断して設けた。このカートン用切れ目線Ｐ３による帯を開封することにより、カートンＣ２の天部を開口することができた。開封後の残された部分は、ギザギザが少なく奇麗な状態であった。
【００２３】
【発明の効果】
本発明のカートン用切れ目線は、各種のカートンにおいて、切れ目線を容易に引き裂くことができ、最後まで切れ目ラインどおりに安定して引き裂くことができ、かつ、カートンの強度を低下させることが少なく、引き裂いた後の部分が奇麗にスムーズに引き裂くことができるという効果が有するものである。
【図面の簡単な説明】
【図１】本発明のカートン用切れ目線を示す平面図である。
【図２】本発明のカートン用切れ目線を示す部分拡大平面図である。
【図３】本発明のカートン用切れ目線の変形例を示す部分拡大平面図である。
【図４】本発明のカートン用切れ目線の効果を説明する図である。
【図５】本発明のカートン用切れ目線を使用したカートンの一実施例を示す斜視図である。
【図６】本発明のカートン用切れ目線を使用したカートンの別の実施例を示す斜視図である。
【図７】従来のカートン用切れ目線の例を示す平面図である。
【符号の説明】
Ｐ    本発明のカートン用切れ目線
Ｑ    主切れ目線
Ｒ    補助切れ目線
Ｓ    間隙部
Ｘ    切れ目ライン
Ｖ    切り欠け
Ｗ    ツナギ
Ｃ１  カートン
Ｃ２  カートン
ａ    主切れ目線の長さ
ｂ    間隙部の長さ
ｃ    補助切れ目線の長さ
ｄ    主切れ目線と補助切れ目線との距離
１１    天パネル
１２    側パネル
１３    側パネル
１４    側パネル
１５    側パネル
１６    底パネル
【図１】
2004168378.tif 000003
【図２】
2004168378.tif 000004
【図３】
2004168378.tif 000005
【図４】
2004168378.tif 000006
【図５】
2004168378.tif 000007
【図６】
2004168378.tif 000008
【図７】
2004168378.tif 000009